(57)【要約】【課題】  外部からの異物の侵入に強いカム溝追従構造を得る。【解決手段】  レンズを保持し、カムフォロワ（２）を設けられたレンズ保持部材（１）と、  内部に溝部（３ａ）を有するカム筒（３）とを有し、  前記カムフォロワ（２）は前記溝部（３ａ）に追従するように嵌合し、前記カムフォロワ（２）と前記溝部（３ａ）の接する線上でありかつ前記カムフォロワ（２）の中間部分に断面が４辺から構成されるザグリ部（２ａ）を有することを特徴とするレンズ鏡筒。【選択図】  図１
2013044936.tif 000002
【特許請求の範囲】
【請求項１】
レンズを保持し、カムフォロワを設けられたレンズ保持部材と、
内部に溝部を有するカム筒とを有し、
前記カムフォロワは前記溝部に追従するように嵌合し、前記カムフォロワと前記溝部の接する線上でありかつ前記カムフォロワの中間部分に断面が４辺から構成されるザグリ部を有することを特徴とするレンズ鏡筒。
【請求項２】
前記カムフォロワと前記溝部の接線の略３分の１以上の範囲で前記ザグリ部を設けたことを特徴とする請求項１に記載のレンズ鏡筒。
【請求項３】
前記カムフォロワの断面形状で、前記ザグリ部の底部と、前記カムフォロワと前記溝部の接線は略平行であることを特徴とする請求項１または２にレンズ鏡筒。
【請求項４】
前記カムフォロワのザグリ部の深さは、前記カム筒と前記レンズ保持部材との隙間に侵入できる異物の大きさ以上であることを特徴とする請求項１ないし３の何れか１項に記載のレンズ鏡筒。
【請求項５】
請求項１ないし４の何れか１項に記載のレンズ鏡筒を備えた撮像装置。
【発明の詳細な説明】
【技術分野】
【０００１】
本発明はデジタルカメラ等に備えられたレンズ鏡筒およびそれを備えた撮像装置に関するものである。
【背景技術】
【０００２】
ＣＣＤやＣＭＯＳ等の撮像素子がレンズ鏡筒のピントが合う位置に配置され、この撮像素子によって画像を取得するデジタルカメラが一般的に普及している。このレンズ鏡筒の構成として、レンズを保持するレンズ保持枠が光軸上に移動して位置決めするようになっている。そして、撮影レンズを保持するレンズ保持枠の位置決め方法として、カム溝を具備するカム筒を回転させることにより、レンズ保持枠を光軸方向に移動させ、指定された位置に保持させる。
【０００３】
レンズ鏡筒は複数の駆動する部材で構成されており、互いがスムーズに動作できるようになっている。しかし、外部から砂等の異物がレンズ鏡筒の駆動部の隙間に侵入した場合、動作を阻害する恐れがある。単に駆動力を大きくして異物を乗り越える方法では、大きな駆動力を得るために大きな駆動モーターを用いる必要があり、電力を多く必要とする問題がある。
【０００４】
その対応としていくつかの提案がなされている。例えば、特許文献１では、レンズ鏡筒を構成する筒同士の隙間にゴム状のパッキンを組み込み、異物の侵入を防止するようになっている。特許文献２では、同様にレンズ鏡筒を構成する筒同士の隙間にシート状のパッキンを組み込み、異物の侵入を防止するようになっている。
【先行技術文献】
【特許文献】
【０００５】
【特許文献１】特開２００１−４２４０７号公報
【特許文献２】特開平８−２８６０８７号公報
【発明の概要】
【発明が解決しようとする課題】
【０００６】
しかしながら、上述の特許文献１および２に開示された従来技術では、隙間をシーリングする部材を必要とする。そのため、部品点数も増え、組立も複雑で作業が困難であるという問題があった。また、シーリング自体が負荷を与えるため、その分の駆動力も必要となる。
【課題を解決するための手段】
【０００７】
上述した課題を解決するために、本発明に係るレンズ鏡筒は、レンズを保持し、カムフォロワを設けられたレンズ保持部材と、内部に溝部を有するカム筒とを有し、前記カムフォロワは前記溝部に追従するように嵌合し、前記カムフォロワと前記溝部の接する線上でありかつ前記カムフォロワの中間部分に断面が４辺から構成されるザグリ部を有することを特徴とするレンズ鏡筒。
【発明の効果】
【０００８】
本発明によれば、異物が侵入しても、部品点数を増やさず、かつさらなる駆動力も必要とせずにレンズ鏡筒の駆動を行うことができる。
【図面の簡単な説明】
【０００９】
【図１】（Ａ）本発明のレンズ鏡筒を備えたデジタルカメラの斜視図である。（Ｂ）本発明の一実施例であるデジタルカメラの背面図である。
【図２】本発明のレンズ鏡筒を備えたデジタルカメラの構成の要部を示すブロック図である。
【図３】本発明の実施例におけるレンズ鏡筒の断面図である。
【図４】本発明の実施例におけるカムフォロワ２の断面図である。
【発明を実施するための形態】
【００１０】
以下に、本発明に係る実施形態の一例としてのレンズ鏡筒を備えたデジタルカメラを図１から４に基づいて詳細に説明する。
【００１１】
図１（Ａ），（Ｂ）には、本実施形態に係るレンズ鏡筒を有する撮像装置としてのデジタルカメラ１６を示す。図１（Ａ）はデジタルカメラ１６の正面斜視図であり、図１（Ｂ）はデジタルカメラ１６の背面図である。図２にはデジタルカメラ１６の要部構成を示すブロック図である。なお、本実施例で示すデジタルカメラ１６は撮影倍率を変更できるズーム機構を有するカメラである。
【００１２】
デジタルカメラ１６の正面には、被写体の構図を決めるファインダ１７や、測光測距を行う場合の光源の補助を行う補助光１５が構成されている。また、ストロボ１８やレンズ鏡筒１９が構成されている。
【００１３】
デジタルカメラ１６の上面にはレリーズボタン１２や、電源切換えボタン１４、ズーム切換えスイッチ１３が配置されている。
【００１４】
デジタルカメラ１６の背面には操作部材２２，２３，２４，２５，２６，２７が配置され様々な機能切換えを行うことができる。また、デジタルカメラ１６の背面には、ＬＣＤより成るディスプレイ２１や、ファインダ接眼部２０が配置されている。このうち、画像表示部としてのディスプレイ２１は、メモリ３７に保存された画像データやメモリーカードから読み込んだ画像データを画面上に表示する。
【００１５】
ＣＰＵ４３、ＲＯＭ４２、ＲＡＭ４４で構成される制御部には、バス４１を介してレリーズボタン１２、操作部材２２〜２７、ディスプレイ２１、メモリ３７、メモリーカードドライブ３９等の各種構成要素が接続されている。
【００１６】
バス４１を介して制御系と接続する駆動回路４０には、ズーム機構２８、フォーカス駆動機構２９、シャッタ駆動機構３１、絞り駆動機構３３、ＣＣＤやＣＭＯＳ等の撮像素子１０、ストロボ１８が接続されており、制御部からの信号により各々の駆動を制御する。また、ＲＯＭ４２には上述の各機能構成要素を制御するプログラムが記憶されている。ＲＡＭ４４には各制御プログラムに必要なデータが記憶されている。
【００１７】
アナログ信号処理部３４では、取り込まれた画像データにアナログ処理を施し、Ａ／Ｄ変換部３５に出力する。Ａ／Ｄ変換部３５では取り込まれたアナログデータをデジタルデータに変換する。このデジタルデータをデジタル信号処理部３６に出力し、ここでデジタルデータの処理を行う。最終的にデジタルデータはメモリ３７に記憶されることになる。
【００１８】
メモリ３７に記憶された画像データやメモリーカードドライブ３９に記憶されている画像データを圧縮伸張部３８によって伸張処理を行い、その画像データを、バス４１を介してディスプレイ２１に表示させることができる。このディスプレイ２１上のデータを使用者が見ることで、その画像が不必要であると判断すると使用者は操作部材２２〜２７のいずれかの操作によって消去することができる。
【００１９】
次に、本形態に係るデジタルカメラ１６に備えられたレンズ鏡筒１９の構成について図３、図４を用いて説明する。図３はレンズ鏡筒１９の断面図である。図４はカムフォロワ２の断面図である。
【００２０】
第１レンズ保持部材１と第２レンズ保持部材４は共にレンズを具備している。第１レンズ保持部材１の外周にはカム筒３が配置され、内周にはカム溝３ａが形成されている。
【００２１】
第１レンズ保持部材１の内周には直進規制部材５が配置され、カム筒３と略一体で光軸方向に動作できるように配置されている。カム筒３の外周には第２カム筒６が配置されている。第２カム筒６の内周には溝部としてのカム溝６ａが形成されており、カム筒３が嵌合され追従できるようになっている。第２カム筒６の外周には作動筒７が配置され、作動筒７を保持するカバー部材８がその外側に設置されている。
【００２２】
ズーム機構２８によって作動筒７に回転力を与えられると、作動筒７の回転に連動して第２カム筒６が回転力を受ける。カム筒３は作動筒７の回転に伴って第２カム筒６の内周のカム溝６ａに追従し、カム筒３は回転しながら光軸方向へ移動する。
【００２３】
カム筒３と直進規制部材５はバヨネット状に略一体で保持されており、カム筒３と直進規制部材５は略一体に光軸方向へ移動する。しかし、カム筒３と直進規制部材５は第２カム筒６の内周に設けられた直進溝６ｂによって直進保持されており、回転できなくなっている。
【００２４】
第１レンズ保持部材１、第２レンズ保持部材４はカム筒３の内周に形成されるカム溝３ａに追従することでそれぞれ個別に光軸方向へ移動し、さらに直進規制部材５によってそれぞれ直進規制されることで回転しない。
【００２５】
第２レンズ保持部材４の背面（光軸方向撮像素子側）にはフォーカスレンズ保持部材９が配置され、フォーカス駆動機構２９によって光軸方向へ移動できるようになっており、レンズ鏡筒１９のピントを合わせる役目を担っている。そして、レンズ鏡筒１９の最背面には撮像素子１０を保持する撮像素子保持部材１１が配置され、レンズ鏡筒１９の光軸方向撮像素子側の蓋にもなっている。
【００２６】
このように、作動筒７が回転することによりレンズ鏡筒１９は繰り出し状態のうち望遠側（テレ側）から広角側（ワイド側）そして沈胴状態（収納状態）へと切り替わることができる。そして複数の筒同士が互いに関連を持ちながら駆動することで光学性能を維持している。しかしながら、レンズ鏡筒１９の外から砂などの異物がカム筒３の内周のカム溝３ａに侵入すると駆動の妨げとなってしまう。砂などがレンズ鏡筒１９の外から侵入する可能性のある経路としては、例えば第１レンズ保持部材１とカム筒３の隙間がある。
【００２７】
カム筒３の内周にはカム溝３ａが具備されているが、第１レンズ保持部材１に一体で動作できるカムフォロワ２が構成されている。そして、カム溝３ａにカムフォロワ２が摺動し追従することにより第１レンズ保持部材１が光軸方向前後に移動するようになっている。
【００２８】
もし砂などの異物がカム溝３ａの内部に付着すると、カムフォロワ２がカム溝３ａに摺動追従する動作の妨げとなる。通常、前方からの第１レンズ保持部材１への衝撃に対して簡単に壊れないように、カムフォロワ２をできるだけ長くカム溝３ａへ差し込みたい。そのため、衝撃対策を施すほどカムフォロワ２のカム溝３ａと接する線が長くなり、異物の侵入に不利になってしまう。
【００２９】
そこで、異物がカム溝３ａに侵入したとしても、動作しやすいように図１に示すようにカムフォロワ２がカム溝３ａへ接する線上の中間部分に断面形状が略４辺で構成されるザグリ部２ａを設ける。
【００３０】
このようにすると、カムフォロワ２のカム溝３ａへの接触面積が減り、砂などの異物がザグリ部２ａの隙間を通過することで、動作への妨害が無くなる。また、カムフォロワ２のカム溝３ａへの接触面積が減るため、通常の駆動においても摩擦による駆動負荷が減り、駆動エネルギーの削減にもなる。
【００３１】
なお、ザグリ部２ａの幅βはカムフォロワ２とカム溝３ａの接線の約３分の１以上確保できれば、砂などの異物がザグリ部２ａを通過しやすくなる。
【００３２】
カム筒３と第１レンズ保持部材１の隙間はできるだけ小さくしている関係上、侵入する異物の大きさはφ０．２ｍｍ〜φ０．３ｍｍ程度である。なお、ザグリ部２ａの深さαと幅βはできるだけ大きいほうが有効である。しかし、ザグリ部２ａを大きくしすぎると、落下等による前方からの衝撃に対する耐力がなくなり壊れる可能性が高くなる。そこで、カムフォロワ２の断面形状で、ザグリ部２ａ底部と、カムフォロワ２とカム溝３ａの接線を略平行にすることで、カムフォロワ２の強度をある程度強く保ち、落下しても壊れにくくすることができる。本実施例においては、カムフォロワ２のザグリ部深さαを０．２ｍｍ以上、ザグリ部幅βは０．３ｍｍ以上確保することによって異物への引っかかりを解消している。
【００３３】
また、カムフォロワ２の前方部２ｂと後端部２ｃはカム溝３ａに接しているので、第１レンズ保持部材１への前方からの衝撃に対する抵抗力は、従来通り確保できる。
【００３４】
以上の構成をとることで、たとえ砂などの微小な異物がレンズ鏡筒１０へ侵入してもさらなる駆動エネルギーを必要とせず、さらに前方からの衝撃に対しても従来通りの強度を保つことができる。
【００３５】
以上、本発明の好ましい実施形態について説明したが、本発明はこれらの実施形態に限定されず、その要旨の範囲内で種々の変形及び変更が可能である。
【符号の説明】
【００３６】
１  第１レンズ保持部材
２  カムフォロワ
２ａ  ザグリ部
２ｂ  前方部
２ｃ  後端部
３  カム筒
３ａ  カム溝
【図１】
2013044936.tif 000003
【図２】
2013044936.tif 000004
【図３】
2013044936.tif 000005
【図４】
2013044936.tif 000006